(57)【要約】      （修正有）【課題】設置強度を向上でき、且つ温度差に起因する伸縮で発生する屋根の歪みを抑制できる嵌合式屋根材を提供する。【解決手段】嵌合式屋根材１は、設置面側に突出する湾曲した長尺状の本体１ａと、本体の長手方向に沿って、一方の側端に形成された第１の嵌合部２と、第１の嵌合部の側端縁に配置された取付部３と、本体の長手方向に沿って、他方の側端に形成された第２の嵌合部４とを備える。そして、第１の嵌合部と第２の嵌合部との間の距離である働き幅ΔＬは、垂木の間隔を整数倍して当該働き幅で割ったときに、商が整数となる値であることを特徴とする。【選択図】図２
0003220318.tif 000002
【実用新案登録請求の範囲】
【請求項１】
設置面側に突出する湾曲した長尺状の本体と、
前記本体の長手方向に沿って、一方の側端に形成された第１の嵌合部と、
前記第１の嵌合部の側端縁に配置された取付部と、
前記本体の長手方向に沿って、他方の側端に形成された第２の嵌合部とを具備し、
前記第１の嵌合部と前記第２の嵌合部との間の距離である働き幅は、垂木の間隔を整数倍して当該働き幅で割ったときに、商が整数となる値であることを特徴とする嵌合式屋根材。
【請求項２】
前記働き幅は、３６４ｍｍであることを特徴とする請求項１に記載の嵌合式屋根材。
【請求項３】
前記第１の嵌合部は、雄部を構成する頭部を有し、前記第２の嵌合部は、雌部を構成する受け入れ溝部を有する、ことを特徴とする請求項１または２に記載の嵌合式屋根材。
【請求項４】
嵌合式屋根材の第２の嵌合部の前記溝部を、隣接する嵌合式屋根材の第１の嵌合部の頭部に押し込むことで広げて嵌合させる、ことを特徴とする請求項３に記載の嵌合式屋根材。
【請求項５】
前記第２の嵌合部の前記溝部と、前記第１の嵌合部の頭部との間に介在される止水材を更に備える、ことを特徴とする請求項４に記載の嵌合式屋根材。
【考案の詳細な説明】
【技術分野】
【０００１】
本考案は、複数の金属製屋根材を嵌合して順次連接し、屋根を葺く嵌合式屋根材に関するものである。
【背景技術】
【０００２】
従来、この種の嵌合式屋根材については、例えば特許文献１に記載されている。特許文献１では、隣り合う一方の屋根板材の嵌め合い雄部を構成する頭部が、他方の屋根板材の嵌め合い雌部を構成する受け入れ溝部内に入り込むように重ね載せ、受け入れ溝部の溝口を撓み広げ、受け入れ溝部の内奥側に当該頭部を入り込ませて掛合させている。
【０００３】
そして、撓み広げられた受け入れ溝部の溝口が戻ることで、頭部の顎部と受け入れ溝部の段部とが掛合して、隣り合う屋根板材相互をワンタッチで連接できるようになっている。また、この屋根板材相互の掛合部が毛細管現象を防ぐことで、雨水の浸入を阻止して防水性を高めている。
【先行技術文献】
【特許文献】
【０００４】
【特許文献１】特開平１１−２１１０１７７号公報
【考案の概要】
【考案が解決しようとする課題】
【０００５】
ところで、上述した特許文献１に記載されているような「たてぶき」の嵌合式屋根材では、働き幅を３３３ｍｍにするのが一般的である。これは、建築資材が慣行で「尺」を基準にしてサイズを決めているためであり、垂木を１尺５寸（４５５ｍｍ）の幅で配置すると、屋根材の辺縁部に打つ取付ビスや釘を、コンパネなどの野地板にしか打つことができない。このため、屋根材の設置強度が弱く、屋根の強度も低くなる。
【０００６】
また、金属製の屋根材は、季節や日照による温度差に起因する伸縮が発生し、施工後に歪んで一部が盛り上がる現象が発生することがある。特に、太陽光パネルを設置する屋根は長くなる傾向があるため、伸縮が大きくなり、これに伴って屋根の一部が歪みやすくなる。
【０００７】
そこで、本考案は如上のような従来存した諸事情に鑑み創出されたもので、設置強度を向上でき、且つ温度差に起因する伸縮で発生する屋根の歪みを抑制できる嵌合式屋根材を提供することを目的とする。
【課題を解決するための手段】
【０００８】
本考案に係る請求項１の考案は、設置面側に突出する湾曲形状を有する長尺状の本体と、前記本体の長手方向に沿って、一方の側端に形成された第１の嵌合部と、前記第１の嵌合部の側端縁に配置された取付部と、前記本体の長手方向に沿って、他方の側端に形成された第２の嵌合部とを具備し、前記第１の嵌合部と前記第２の嵌合部との間の距離である働き幅は、垂木の間隔を整数倍して当該働き幅で割ったときに、商が整数となる値であることで、上述した課題を解決した。
【０００９】
この請求項１に係る嵌合式屋根材によれば、働き幅を、垂木の間隔を整数倍して当該働き幅で割ったときに、商が整数となる値にしたので、所定の枚数連接するごとに取付ビスや釘を垂木に打つことができるので、設置強度を向上できる。しかも、本体を湾曲させたことで、施工によって平らになった本体が温度差による伸縮で湾曲する方向に働くので、歪みによって部分的に屋根が盛り上がるのを抑制できる。
【００１０】
また、本考案に係る請求項２の考案は、前記働き幅は３６４ｍｍであることで、同じく、上述した課題を解決した。
【００１１】
この請求項２に係る嵌合式屋根材によれば、垂木が１尺５寸（４５５ｍｍ）の幅で配置されると、５枚の屋根材毎に垂木に取付ビスや釘を打つことができる。
【００１２】
また、本考案に係る請求項３の考案は、前記第１の嵌合部は、嵌め合い雌部を構成する受け入れ溝部を有し、前記第２の嵌合部は、嵌め合い雄部を構成する頭部を有することで、同じく、上述した課題を解決した。
【００１３】
この請求項３に係る嵌合式屋根材によれば、隣り合う屋根板材相互を重ね載せて踏み込むことで、ワンタッチで連接させることができる。
【００１４】
更に、本考案に係る請求項４の考案は、嵌合式屋根材の第２の嵌合部の前記溝部を、隣接する嵌合式屋根材の第１の嵌合部の頭部に押し込んで広げて嵌合させることで、同じく、上述した課題を解決した。
【００１５】
この請求項４に係る嵌合式屋根材によれば、嵌合部で毛細管現象を防ぐことができ、防水性を向上させることができる。
【００１６】
また、本考案に係る請求項５の考案は、前記第２の嵌合部の前記溝部と、前記第１の嵌合部の頭部との間に介在される止水材を更に備えることで、同じく、上述した課題を解決した。
【００１７】
この請求項５に係る嵌合式屋根材によれば、止水材を介在させることで防水性を更に向上させることができる。
【考案の効果】
【００１８】
本考案に係る嵌合式屋根材によれば、所定の枚数連接するごとに取付ビスや釘を垂木に打つことができるので設置強度を向上でき、且つ施工によって平らになった本体が温度差による伸縮で湾曲する方向に働くので、歪みによって部分的に屋根が盛り上がるのを抑制できる。
【図面の簡単な説明】
【００１９】
【図１】本考案の実施形態に係る嵌合式屋根材の斜視図である。
【図２】図１におけるＸ−Ｘ´線に沿った断面図である。
【図３】図１及び図２に示した嵌合式屋根材を連接した状態を示す斜視図である。
【図４】図１及び図２に示した嵌合式屋根材の連接方法について説明するための断面図である。
【図５】図４における嵌合部の拡大断面図である。
【図６】図５における連接状態の嵌合部を更に拡大して示す断面図である。
【図７】図１及び図２に示した嵌合式屋根材を用いて葺いた屋根の一部と従来の嵌合式屋根材を用いて葺いた屋根の一部を比較して示す図である。
【考案を実施するための形態】
【００２０】
以下に、図面を参照して、本考案の一実施の形態について説明する。
【００２１】
図１及び図２に示すように、本考案に係る嵌合式屋根材１の本体１ａは、設置面側に突出する湾曲した長尺状になっている。換言すれば、短手方向に所定のアールを有している。この本体１ａの長手方向に沿って一方の側端に第１の嵌合部２が形成され、当該第１の嵌合部２の側端縁に取付部３が配置されている。
【００２２】
また、本体１ａの長手方向に沿って他方の側端には、第２の嵌合部４が形成されている。第１の嵌合部２と第２の嵌合部４との間の距離である働き幅ΔＬは、垂木の間隔を整数倍して働き幅ΔＬで割ったときに、商が整数となる値であり、本例では３６４ｍｍである。
【００２３】
そして、図３に示すように、嵌合式屋根材１−１，１−２，１−３，…を短手方向に順次配置し、これら嵌合式屋根材１−１，１−２，１−３，…の第２の嵌合部４−１，４−２，４−３，…と第１の嵌合部２−２，２−３，…とを順次嵌合させて連接し、屋根を葺くようになっている。
【００２４】
上記構成の嵌合式屋根材１は、図４（ａ）に示すように、まず嵌合式屋根材１−１の一方の側端の取付部３−１を、取付ビスや釘でコンパネなどの野地板に打ち付け、他方の側端を野地板側に押し付けつつ湾曲を戻す。次に、隣接する嵌合式屋根材１−２を位置合わせして、嵌合式屋根材１−２の一方の側端の取付部３−２を、取付ビスや釘でコンパネなどの野地板に打ち付ける。
【００２５】
続いて、嵌合式屋根材１−１の第２の嵌合部４−１の溝部を、嵌合式屋根材１−２の第１の嵌合部２−２の頭部に重ね載せて踏みつけ、図４（ｂ）に示すように嵌合させて連接する。そして、同様な手順で順次屋根材を連結して取り付けることで屋根を葺く。
【００２６】
図５（ａ），（ｂ）はそれぞれ、図４（ａ），（ｂ）における嵌合部の拡大図であり、嵌合前と嵌合後の状態を示している。また、図６は、図５（ｂ）の要部を更に拡大して示している。
【００２７】
図５（ａ）に示すように、嵌合式屋根材１−１の第２の嵌合部４−１は、雌部を構成する受け入れ溝部を形成するように、断面が台形状になっている。また、嵌合式屋根材１−２の第１の嵌合部２−２は、雄部を構成する頭部を形成するように、断面が溝部に対応する台形状になっている。
【００２８】
第２の嵌合部４−１に隣接して段差構造１ｂが形成されており、取付ビス５や釘を打つ面上を覆うようになっている。また、第１の嵌合部２−２に隣接して水切構造１ｃが形成されており、雨水などの浸入を防ぐようになっている。更に、嵌合部における頭部と溝部の間に、止水材６が介在されて防水性を高めている。この止水材６としては、例えば、ホットメルトと呼ばれる高弾性合成ゴムを用いることができる。
【００２９】
嵌合式屋根材１−１の第２の嵌合部４−１の縁部４ａは、内側に折り曲げられて強度が高められている。また、嵌合式屋根材１−２の縁部２ａは内側に折り曲げられて強度が高められており、長手方向の側縁部に沿って取付ビス５や釘で、防水下地７を介して野地板８に打ち付けられている。防水下地７としてはアスファルトルーフィングなどを用いることができ、野地板８としてはコンパネなどを用いることができる。
【００３０】
そして、嵌合式屋根材１−１の第２の嵌合部４−１の溝部を、隣接する嵌合式屋根材１−２の第１の嵌合部２−２の頭部に押し込むことで広げて嵌合させることで、図５（ｂ）及び図６に示すように、上記受け入れ溝部における台形の底辺に形成される角部１０ａ，１０ｂと、頭部における台形の底辺に形成される角部１１ａ，１１ｂとが係止される。これによって、嵌合部における毛細管現象を防ぐことができ、雨水の浸入を阻止して防水性を高めることができる。
【００３１】
図７（ａ），（ｂ）はそれぞれ、図１及び図２に示した嵌合式屋根材を用いて葺いた屋根の一部と従来の嵌合式屋根材を用いて葺いた屋根の一部を比較して示す図である。図７（ａ）に示す本考案では、働き幅ΔＬが垂木９−１，９−２，９−３，…，９−５の配置幅（１尺５寸＝４５５ｍｍ）を整数倍（本例では４倍）して当該働き幅ΔＬで割ったときに、商が整数となる値（４５５ｍｍ×４÷３６４ｍｍ＝５）であることで、５枚の屋根材毎に垂木に取付ビスや釘を打つことができる。
【００３２】
一方、図７（ｂ）に示すように、従来は、働き幅が３３３ｍｍであるため、垂木９−１，９−２，９−３，…，９−５に取付ビスや釘を打つことができるのは１枚目の垂木９−１のみである。
【００３３】
従って、本考案によれば、屋根材の設置強度を向上でき、葺いた屋根そのものの強度の向上も図れる。しかも、本体を湾曲させたことで、施工によって平らになった本体が温度差による伸縮で湾曲する方向に働くので、歪みによって部分的に屋根が盛り上がるのを抑制できる。
【００３４】
また、１尺毎に垂木９−１，９−２，９−３，…，９−５を配置した場合には、全ての垂木９−１，９−２，９−３，…，９−５に釘を打つことができるため、屋根材の強度をより一層向上させることができる。
【００３５】
尚、本考案は上述した実施形態に限定されるものではなく、要旨を逸脱しない範囲で種々変形して実施することが可能である。
【００３６】
例えば、第１、第２の嵌合部の構造は上述した断面形状に限らない。隣接する屋根材を嵌合できれば他の様々な構成を適用できる。
【００３７】
また、働き幅ΔＬが３６４ｍｍの場合を例に取って説明したが、垂木９−１，９−２，９−３，…の間隔を整数倍して当該働き幅ΔＬで割ったときに、商が整数となる値であれば良い。更に、働き幅が３６４ｍｍから若干ずれても、垂木には幅があるので誤差を吸収できる。
【産業上の利用可能性】
【００３８】
本考案は、複数の金属製屋根材を嵌合して順次連接し、屋根を葺く建築資材として有用である。
【符号の説明】
【００３９】
１，１−１，１−２…嵌合式屋根材
１ａ…本体
２…第１の嵌合部
２ａ…縁部
３，３−１，３−２…取付部
４…第２の嵌合部
４ａ…縁部
５…取付ビス
６…止水材
７…防水下地
８…野地板
９−１〜９−５…垂木
１０ａ，１０ｂ，１１ａ，１１ｂ…角部
ΔＬ…働き幅
【図１】
0003220318.tif 000003
【図２】
0003220318.tif 000004
【図３】
0003220318.tif 000005
【図４】
0003220318.tif 000006
【図５】
0003220318.tif 000007
【図６】
0003220318.tif 000008
【図７】
0003220318.tif 000009